(57)【特許請求の範囲】
【請求項１】
乳酸発酵卵白を有効成分として含有することを特徴とする抗酸化材。
【発明の詳細な説明】
【技術分野】
【０００１】
本願発明は、天然食品成分を有効成分として含有する新規な抗酸化材及びこれを含有した食品に関する。
【背景技術】
【０００２】
一般的に、食品が保存中に酸化される結果、風味の変化が生じたり、退色等の性状の変化が生じることがある。従来、酸化を防止する方法として、例えば卵白加水分解物（特許文献１）や、エチレンジアミン四酢酸ジナトリウム塩（以下、ＥＤＴＡ）等の化学物質からなる食品添加物（非特許文献１、２）等の抗酸化材を添加することが知られている。
【０００３】
しかしながら、卵白加水分解物は、卵白加水分解物特有の風味が食品本来の風味を損ねる場合があるため用途や使用量が限定される。また、ＥＤＴＡ等の化学物質からなる食品添加物は、一般に作用が強力であるため、生体内においても有用ミネラル類（カルシウム、マグネシウム等）との間で結合状態を維持し、有用ミネラル類がキレート化され、栄養成分として生体内に吸収、利用されるのを阻害する。このため、近年では、生体内に及ぼす影響を考慮して、合成キレート材のような化学物質の使用をできる限り避けることが求められている。このように、上記物質は消費者の要望を十分に満足するものではないことより、食品本来の風味を損ねない天然食品成分を用いた新たな抗酸化材が要望されている。
【特許文献１】特開２００６−１８７２７７号公報
【非特許文献１】シャーロット  ヤコブセン他，「魚油を豊富に含むマヨネーズにおける脂質の酸化：エチレンジアミンテトラ酢酸・カルシウム・２ナトリウム塩は酸化的分解を強く阻害するが、没食子酸は酸化的分解を強く阻害しない」，ジャーナル・オブ・アグリカルチュラル・アンド・フード・ケミストリー，米国化学会，２００１年，第４９巻，ｐ．１００９−１０１９（Charlotte Jacobsen et al, “Lipid Oxidation in Fish Oil EnrichedMayonnaise: Calcium Disodium Ethylenediaminetetraacetate, but Not Gallic Acid,Strongly Inhibited Oxidative Deterioration”, Journal of Agricultural and FoodChemistry, American Chemical Society, 49, 1009-1019, 2001）
【非特許文献２】シャーロット  ヤコブセン他，「牛乳及びマヨネーズにおける脂質の酸化に及ぼす金属キレート材の影響」，第９５回米国油化学会年会及び展示会予稿集，ｐ．８３−８４，米国油化学会，２００４年（CharlotteJacobsen et al, “The Effect of Metal Chelators on Lipid Oxidation in Milk andMayonnaise”, 95th AOCS Annual Meeting & Expo, American Oil Chemists’Society, 83-84, 2004）
【発明の開示】
【発明が解決しようとする課題】
【０００４】
本願発明は、天然食品成分を有効成分として含有する新規な抗酸化材及びこれを含有した食品を提供することを目的とする。
【課題を解決するための手段】
【０００５】
本願発明者は、上記目的を達成すべく鋭意研究を重ねた結果、天然食品成分からなる乳酸発酵卵白を有効成分として含有することにより酸化の進行を抑制できることを見出し、この知見に基づいて本願発明を完成するに至った。
【０００６】
すなわち、本発明は、
乳酸発酵卵白を有効成分として含有する抗酸化材、
である。
【発明の効果】
【０００７】
本願発明によれば、風味の変化及び退色等の性状の変化等、酸化の進行を抑制することができることより、食品市場における抗酸化材の更なる利用拡大が期待できる。
【発明を実施するための最良の形態】
【０００８】
以下、本願発明について詳細に説明する。なお、本願発明において「％」は、特に規定しない限り「質量％」を意味する。
【０００９】
本願発明の抗酸化材は、乳酸発酵卵白を有効成分として含み、ＥＤＴＡに匹敵する高い抗酸化作用を有することにより、これを配合した食品に高い抗酸化作用を付与することができる。
【００１０】
本願発明の有効成分である乳酸発酵卵白は、鉄イオン等の金属イオンとキレートを形成していると考えられる。すなわち、乳酸発酵卵白によって金属イオンが捕捉されるため、金属イオンによる触媒作用が制限される。これにより、後述の酸化メカニズムにおいて２次酸化生成物の産生が中断され、３次酸化生成物（アミノカルボニル反応生成物）の産生を抑制し、風味の変化及び退色等の性状の変化等、酸化の進行を抑えることができる。
【００１１】
ここで、乳酸発酵卵白とは、液状の卵白に乳酸菌を添加して発酵させることにより得られるものである。このような乳酸発酵は一般的に栄養源として乳酸菌資化性糖類を用いて必要に応じ酵母エキス等の発酵促進物質を添加し、乳酸菌を１ｍＬあたり好ましくは１０３〜１０８、さらに好ましくは１０５〜１０７供し発酵されており、本願発明も同様な方法で得られたものを用いるとよい。
【００１２】
上記乳酸発酵卵白に用いる卵白としては、例えば、鶏等の鳥類の卵を割卵し卵黄を分離したものであり工業的に得られるもの、またこれを殺菌、凍結したもの、濃縮または希釈したもの、特定の成分（リゾチームやアビジン等）を除去したもの、乾燥させたものを水戻ししたもの等が挙げられる。また効果に影響を及ぼさない程度に卵黄やその他の卵由来の成分を含んでいても差し支えない。
【００１３】
上記乳酸発酵卵白に用いる乳酸菌としては、一般的にヨーグルトやチーズの製造に利用される、例えば、ラクトバチルス属（Ｌａｃｔｏｂａｃｉｌｌｕｓ  ｂｕｌｇａｒｉｃｕｓ等）、ストレプトコッカス属（Ｓｔｒｅｐｔｏｃｏｃｃｕｓ  ｔｈｅｒｍｏｐｈｉｌｕｓ、Ｓｔｒｅｐｔｏｃｏｃｃｕｓ  ｄｉａｃｅｔｙｌａｃｔｉｓ等）、ラクトコッカス属（Ｌａｃｔｏｃｏｃｃｕｓ  ｌａｃｔｉｓ等）、ロイコノストック属（Ｌｅｕｃｏｎｏｓｔｏｃ  ｃｒｅｍｏｒｉｓ等）、エンテロコッカス属（Ｅｎｔｅｒｏｃｏｃｃｕｓ  ｆａｅｃａｌｉｓ）、ビフィドバクテリウム属（Ｂｉｆｉｄｏｂａｃｔｅｒｉｕｍ  Ｂｂｉｆｉｄｕｍ等）等が挙げられる。 
【００１４】
上記乳酸発酵卵白に用いる乳酸菌資化性糖類としては、例えば、単糖類（グルコース、ガラクトース、フルクトース、マンノース、Ｎ−アセチルグルコサミン等）、二糖類（ラクトース、マルトース、スクロース、セルビオース、トレハロース等）、オリゴ糖類（特に３〜５個の単糖類が結合しているもの）、ブドウ糖果糖液糖等が挙げられ、１種又は２種以上を組み合わせて液状の卵白に添加することができる。
【００１５】
上記乳酸発酵卵白に用いる発酵促進物質としては、本発明の効果を損なわない範囲で発酵を促進するものであれば、特に限定するものではない。例えば、アミノ酸やペプチド等の蛋白質分解物、酵母エキス、ビタミン類、ミネラル類等が挙げられる。
【００１６】
上記乳酸発酵卵白の代表的な製造方法を以下に示す。卵白たんぱく質２〜８％、乳酸菌資化性糖類１〜１５％、及び発酵促進物質０．５〜１０％を水に加え、乳酸、塩酸等の酸剤を用いてｐＨ５〜７．５にｐＨ調整する。なお、風味の面から乳酸を用いるのが好ましい。得られた仕込み液を６０〜１１０℃で５〜１２０分間加熱した後、乳酸菌スターターを１ｍＬあたり１０５〜１０７になるように添加し、２５〜５０℃で８〜４８時間発酵し乳酸発酵卵白が得られる。また、必要に応じて上記乳酸発酵卵白を加熱殺菌し、高圧下で均質化処理を施してもよい。
【００１７】
本願発明の抗酸化材に含まれる乳酸発酵卵白の含有量は、抗酸化作用が発現される程度であれば特に限定されず適宜設定することができるが、乳酸発酵卵白を固形分換算で０．５％以上、好ましくは１％以上含有することが好ましく、乳酸発酵卵白をそのまま用いても良い。乳酸発酵卵白の含有量が５％未満では、満足な抗酸化作用が得られない恐れがある。
【００１８】
本願発明の抗酸化材の形態は、種々の形態（例えば、液状、粉末状、マイクロコロイド状、クリーム状、ペースト状、ゼリー状）を有することができる。すなわち、配合する食品の性状に応じて、適切な形態に加工し使用することができる。
【００１９】
本願発明の抗酸化材は、公知の抗酸化材を含有することができ、使用量も特に限定されない。公知の抗酸化材として、例えば、ローズマリー抽出物、ポリフェノール、フラボノイド、カテキン、プロアントシアニジン、フィチン酸、トコフェロール、セサモール、γ−オリザノール、アスコルビン酸、クエン酸、ヤマモモ抽出物、羅布麻抽出物等を挙げることができる。
【００２０】
本願発明の抗酸化材を含有する食品は、特に限定するものではない。含有量は、使用する食品等に応じて適宜調製できるが、本願発明の抗酸化材を乳酸発酵卵白固形分換算で０．０５〜５％含有することが好ましく、０．１〜３％であるのがより好ましく、０．３〜３％であるのがさらに好ましい。本願発明の抗酸化材が乳酸発酵卵白固形分換算で０．０５％未満であると、酸化抑制効果が認めらない場合がある。一方、本願発明の抗酸化材が乳酸発酵卵白固形分換算で５％を超えると、それ以上の効果が得られず経済的でない場合がある。本願発明の乳酸発酵卵白固形分換算とは、乳酸発酵卵白に含まれる固形分質量を指す。
【００２１】
本願発明の酸性食品とは、ｐＨを３〜４．６に調整することにより、微生物の増殖を抑制し保存性を高めた食品をいう。酸性食品は、遊離の金属イオンが発生しやすい場合があり、抗酸化作用を発揮するのに好適である。酸性食品にすることによりレトルト処理等の高温高圧加熱処理を施さなくとも常温での流通、保存が可能となり、食品の風味、食感の変化を最小限に留めることができる。例として、マヨネーズやドレッシング等の調味料類、ジャム、フルーツ等のゼリー類、デザート類、清涼飲料等の飲料、もしくは酢やトマトソースを用いた調理食品等が挙げられる。特に、マヨネーズ等の卵黄を含む酸性食品で高い抗酸化作用を有し好適である。
【実施例】
【００２２】
以下に本願発明の抗酸化材及びこれを含有した食品を実施例及び試験例に基づき詳述する。なお、本願発明の抗酸化材及びこれを含有した食品は、これに限定するものではない。
【００２３】
〔実施例１〕液卵白３４％（卵白固形分換算４％）、ぶどう糖果糖液糖４％、酵母エキス０．０５％、５０％乳酸０．１５％及び清水６１．８％からなる卵白水溶液を攪拌、調製した。得られた卵白水溶液を９０℃で１０分間加熱した後、乳酸菌スターター０．０２％（Ｌａｃｔｏｃｏｃｃｕｓ  ｌａｃｔｉｓ  ｓｕｂｓｐ.  ｌａｃｔｉｓ、Ｌｅｕｃｏｎｏｓｔｏｃ  ｍｅｓｅｎｔｅｒｏｉｄｅｓ  ｓｕｂｓｐ．ｃｒｅｍｏｒｉｓ、Ｓｔｒｅｐｔｏｃｏｃｃｕｓ  ｄｉａｃｅｔｙｌａｃｔｉｓ、Ｌａｃｔｏｃｏｃｃｕｓ  ｌａｃｔｉｓ  ｓｕｂｓｐ．ｃｒｅｍｏｒｉｓ）を添加し、３０℃で２４時間発酵を行った後、７０〜９０℃で加熱殺菌し、次いで高圧ホモゲナイザーを用いて１０ＭＰａの圧力で処理し、本願発明の乳酸発酵卵白を製し、そのまま抗酸化材として用いた。次いで、本願発明の抗酸化材５％（乳酸発酵卵白固形分換算で０．４％）、卵黄固形分１％ 、ｐＨ４．０（酢酸で調整）の試験液を調製し、１０ｍｌ容のネジ口試験管に１０ｍｌずつ充填した。振とう撹拌後、ネジ口をわずかに開けた状態（大気の供給有り）で、液温５５℃の遮光下で５日間保存し、経時的な酸化進行の程度を調べた。その結果、ほとんど酸化劣化臭がなく、高い抗酸化作用を示した。
【００２４】
〔実施例２〕液卵白５０％（卵白固形分換算６％）、スクロース６％、卵黄０．５％、酵母エキス０．０５％、５０％乳酸０．１５％及び清水４３．３％からなる卵白水溶液を攪拌、調製した。得られた卵白水溶液を７５℃で１０分間加熱した後、乳酸菌スターター０．０１％（Ｌａｃｔｏｂａｃｉｌｌｕｓ  ｂｕｌｇａｒｉｃｕｓ、Ｓｔｒｅｐｔｏｃｏｃｃｕｓ  ｔｈｅｒｍｏｐｈｉｌｕｓ）を添加し、４２℃で２４時間発酵を行った後、７０〜９０℃で加熱殺菌し、次いで高圧ホモゲナイザーを用いて３０ＭＰａの圧力で処理し、本願発明の乳酸発酵卵白を製し、そのまま抗酸化材として用いた。次いで、本願発明の抗酸化材２％（乳酸発酵卵白固形分換算で０．２％）、卵黄固形分１％、ｐＨ４．０（酢酸で調整）の試験液を調製し、１０ｍｌ容のネジ口試験管に１０ｍｌずつ充填した。振とう撹拌後、ネジ口をわずかに開けた状態（大気の供給有り）で、液温５５℃の遮光下で５日間保存し、経時的な酸化進行の程度を調べた。その結果、ほとんど酸化劣化臭がなく、高い抗酸化作用を示した。
【００２５】
〔試験例１〕ｐＨが３〜５の酸性条件下で卵黄から鉄イオンが遊離し、酸化反応が進行することを利用して、官能試験結果及び相対蛍光強度による３次酸化生成物（アミノカルボニル反応生成物）の測定結果を評価項目にして調べた。以下に、酸化メカニズムと評価項目について説明する。
【００２６】
酸化反応により生じる過酸化物と、銅、鉄、マンガン、クロム、ニッケル等の金属のイオンとが共存すると、（ｉ）過酸化物がレドックス分解することによりラジカルを生じ、（ｉｉ）このラジカルが不飽和結合を攻撃することで、（ｉｉｉ）さらに過酸化物が生成する、という（ｉ）〜（ｉｉｉ）の反応の連鎖が生じる。この場合、過酸化物が重合したり、反応部位において炭素鎖が切れてカルボニル化合物等の２次酸化生成物を生じる。
【００２７】
さらに、２次酸化生成物であるカルボニル化合物のうち、アルデヒド類が周囲のタンパク質等のアミノ基と反応することにより（アミノカルボニル反応）、３次酸化生成物（アミノカルボニル反応生成物）が生じる。この３次酸化生成物は、風味の劣化及び退色等の性状の変化の原因物質の一つである。一般に、過酸化物自体は特徴ある風味や臭気は有さないため、官能試験の評価結果から、抗酸化作用の程度を推定することができる。
【００２８】
卵黄は、通常約６０ｐｐｍの高濃度の鉄イオンを含有している。卵黄のｐＨは、通常ｐＨ６〜７であり、このｐＨ範囲においては、卵黄中に含まれるリンタンパク質（ホスビチン）が鉄イオンと強力にキレートを形成しているため、鉄イオンによる酸化反応が進行しにくい。
【００２９】
一方、ｐＨ３〜５の酸性条件下では卵黄ホスビチンの３次構造が変化する結果、卵黄ホスビチンにキレートされている鉄イオンの一部が遊離し、この遊離の鉄イオンにより酸化が促進し、さらに風味の変化及び退色等の性状の変化等、酸化の進行が生じる。本願発明の抗酸化材が卵黄から遊離した鉄イオンを捕捉すれば、上記３次酸化生成物（アミノカルボニル反応生成物）の産生が抑制され、風味の変化及び退色等の性状の変化等、酸化の進行を抑制できる。この３次酸化生成物の測定結果と官能試験結果は、ほぼ相関関係を有するので、官能試験の評価結果からも抗酸化作用の程度を推定することができる。
【００３０】
本願発明の抗酸化材（実施例１）とＥＤＴＡの抗酸化作用を比較した。抗酸化作用の程度は、官能評価と３次酸化生成物（アミノカルボニル反応生成物）の含量を示す相対蛍光強度の値を指標に調べた。
【００３１】
表１の配合表にしたがって各試験液を調製し、１０ｍｌ容のネジ口試験管に１０ｇずつ充填した。振とう撹拌後、ネジ口をわずかに開けた状態（大気の供給有り）で、液温５５℃の遮光下で５日間保存し、経時的な酸化進行の程度を調べた。
【００３２】
卵黄は、殻付き鶏卵から卵白及び卵殻を分離して得られたものを使用した。卵黄をイオン交換水に希釈し、液温６０℃に達するまで加熱殺菌した後、１０℃以下に冷却することにより、ｐＨ６．９の卵黄希釈液を調製した。さらに、この卵黄希釈液の一部を分取し、氷酢酸（食品添加物）を用いてｐＨ４．０、卵黄固形分１０％の卵黄希釈液を調製した。本願発明の卵黄固形分とは、卵黄に含まれる固形分の質量を指す。卵黄の固形分は通常、約５０％であることから、本願発明の卵黄固形分とは、卵黄において固形分の割合が５０％であるとして換算されたをいうものとする。
【００３３】
ＥＤＴＡは、市販の食品添加物（抗酸化材；商品名「キレストＦ−ＣＡ」、キレスト(株)製、分子量４１０）を用い、２．５ｍＭになるようにイオン交換水にて希釈し調製した。
【００３４】
各試験液は、卵黄が同濃度になるように調製した（固形分１％、鉄イオン２５μＭ）。比較例１において、ＥＤＴＡは、理論上等モル数の鉄イオンをキレートするので２５μＭ配合した。
【００３５】
【表１】
0005236978.tif 000002
【００３６】
実施例１及び比較例１〜２で調製された液温５５℃の遮光下で５日間保存後の試験液について、１０名の成人男女によって、ブラインドで評価を行なった。点数の付け方は、表２に従い、対照として液温５℃の遮光下で５日間保存したものの風味を３点として、酸化劣化による風味の変化を指標に点数を付けた。すなわち、本官能評価においては、点数が高いほど、風味劣化の度合いが少ないといえる。
【表２】
0005236978.tif 000003
【００３７】
次いで、液温５５℃の遮光下で５日間保存した各試験液を２００μｌずつ採取し、ジエチルエーテル：エタノール（１：３）の混合液を加えて振とう抽出した。３，０００ｒｐｍで５分間遠心分離した後、その上清を試料溶液とした。
【００３８】
蛍光強度は、石英セルにいれ、蛍光分光光度計（型名「Ｕ−３２１０」、（株）日立製作所製）にてＥｘ３６０ｎｍ，Ｅｍ４４０ｎｍを測定した。相対蛍光強度は、標準溶液（標準溶液は、１μｇの硫酸キニーネを０．０５Ｍ硫酸水溶液１ｍｌに溶解させて得られた）の同条件での蛍光強度を１，０００とした場合の相対値で示した。
【００３９】
【表３】
0005236978.tif 000004
※パネラー  ｎ＝１０名
【００４０】
官能評価による抗酸化作用の評価結果を表３に、相対蛍光強度測定による評価結果を図１に示す。表３及び図１によれば、本願発明の抗酸化材及びＥＤＴＡ（比較例１）は、ｐＨ４の卵黄希釈液（固形分１％、鉄イオン２５μＭ）の酸化を抑制していた。さらに、本願発明の抗酸化材はＥＤＴＡに匹敵する高い抗酸化作用を有してした。
【００４１】
〔試験例２〕本願発明の抗酸化材の含有量による抗酸化作用の程度を調べるため、本願発明の抗酸化材を乳酸発酵卵白固形分換算で０．０８％、０．１６％及び２．４％含有する試験液を調製し抗酸化作用を調べた。
【００４２】
表４の配合表にしたがって、卵黄希釈液（固形分１％、鉄イオン２５μＭ）に対し、実施例１で用いた本願発明の抗酸化材を０．０８％、０．１６％及び２．４％配合し、試験例１と同様に保存サンプルの調製を行った。
【００４３】
【表４】
0005236978.tif 000005
【００４４】
官能評価及び相対蛍光強度は、試験例１と同様に調べた。
【００４５】
【表５】
0005236978.tif 000006
※パネラー  ｎ＝１０名
【００４６】
官能評価による抗酸化作用の評価結果を表５に、相対蛍光強度測定による評価結果を図２に示す。表５及び図２によれば、本願発明の抗酸化材を乳酸発酵卵白固形分換算で０．０８〜２．４％含有する場合、含有量の増加と共に抗酸化作用が高くなる傾向を示した。特に、本願発明の抗酸化材を乳酸発酵卵白固形分換算で０．１６〜２．４％含有する場合、半数以上の評価者がほとんど酸化劣化臭がしないと高い評価を示した（実施例４、５）。本願発明の抗酸化材が乳酸発酵卵白固形分換算で２．４％を超えると、それ以上の効果が得られず経済的でない場合があると考えられた。
【００４７】
〔試験例３〕本願発明の抗酸化材を含有した食品において、本願発明の抗酸化材の抗酸化作用を調べた。
【００４８】
下記配合のタルタルソースを調製した。つまり、攪拌機（ヤマギワ社製、ホバートミキサー）に、乳酸発酵卵白、清水、醸造酢（酸度４．２％）、ぶどう糖果糖液糖、卵黄、みじん切り茹で卵、みじん切り玉ねぎ、みじん切りパセリ、辛子粉及び食塩を５分間混合撹拌してスラリーとし、このスラリーを撹拌しながらサラダ油４４０ｇを除々に注加して粗乳化した。次いでコロイドミルに移して仕上げ乳化後、品温が７０℃になるまで加熱して殺菌を行った後冷却しタルタルソースを得た。得られたタルタルソースを１５０ｇ容のポリエチレン袋に１５０ｇ充填後、液温３５℃の遮光下で８週間保存した。保存後のタルタルソースは、乳酸発酵卵白（実施例２）を用いなかったものに比べ、抗酸化作用が高く、油脂や卵黄由来と思われる酸化劣化臭を感じず、大変好ましかった。また、風味についてもタルタルソース本来の風味を損なうことなく、大変好ましいものであった。
【００４９】
〈タルタルソースの配合〉
本願抗酸化材（実施例１）            １５０ｇ
清水                                  ５４ｇ
醸造酢（酸度４．２％）                ３０ｇ
ぶどう糖果糖液糖                      ７０ｇ
卵黄                                  ５０ｇ
みじん切り茹で卵                      ４５ｇ
みじん切り玉ねぎ                    １７５ｇ
みじん切りパセリ                        ５ｇ
辛子粉                                  １ｇ
食塩                                  ２０ｇ
サラダ油                            ４００ｇ
――――――――――――――――――――――――――――――
合計                              １０００ｇ
【００５０】
下記配合の乳化液状ドレッシングを調製した。つまり、均質機（プライミクス社製、TKホモミクサー）に、乳酸発酵卵白、菜種油、醸造酢（酸度４．２％）、ぶどう糖果糖液糖、卵黄、食塩、香辛料、キサンタンガム及び清水を投入し３０００ｒｐｍで５分間混合撹拌してスラリーとし、このスラリーを撹拌しながらサラダ油を除々に注加し、３０００ｒｐｍで３分間攪拌し乳化させた。次いで、品温が７５℃になるまで加熱して殺菌を行った後冷却し乳化液状ドレッシングを得た。得られた乳化液状ドレッシングを２００ｇ容の光透過性のある透明なＰＥＴ容器に２００ｇ充填後、液温２５℃の蛍光灯照射(７００ルクス)下で２週間保存した。保存後の乳化液状ドレッシングは、本願抗酸化材（実施例１）を用いなかったものに比べ、食酢の酸味が作りたて同様にマイルドで、酸化劣化臭を感じず、大変好ましかった。また、風味についても乳化液状ドレッシング本来の風味を損なうことなく、大変好ましいものであった。
【００５１】
〈乳化液状ドレッシングの配合〉
本願抗酸化材（実施例２）                  ２０ｇ
菜種油                                  ２２０ｇ
醸造酢（酸度４．２％）                  １７０ｇ
ぶどう糖果糖液糖                          ３０ｇ
卵黄                                      １０ｇ
食塩                                      ３０ｇ
香辛料                                      ２ｇ
キサンタンガム                              ２ｇ
清水                                    ５１６ｇ
―――――――――――――――――――――――――――
合計                                  １０００ｇ
【図面の簡単な説明】
【００５２】
【図１】本願発明の抗酸化材の抗酸化作用について、試験例１で行ったＥＤＴＡと比較した相対蛍光強度Ｓの測定結果を示す。
【図２】本願発明の抗酸化材の抗酸化作用について、試験例２で行った本願発明の抗酸化材の含有量を変えた時の相対蛍光強度の測定結果を示す。
【図１】
0005236978.tif 000007
【図２】
0005236978.tif 000008